(57)【要約】【課題】スピニングリールのリール本体において、カバー部材を共用化できるようにするとともに、銘版の固定を確実に行えるようにする。【解決手段】リール本体２は、本体部材２ａ及び蓋部材２ｂからなるリールボディ２ｄと、竿取付脚部２ｃと、カバー部材６０と、板状部材７０とを備えている。カバー部材６０は、リールボディ２ｄの蓋部材２ｂとの接合面Ｓを含む側部の一部が切り欠かれて形成された係合凹部６０ａを有している。板状部材７０は、カバー部材６０をリールボディ２ｄに装着したとき、係合凹部６０ａに係合するとともに、リールボディ２ｄの接合面と係合凹部６０ａとによって挟持される係合凸部７０ａを有している。【選択図】図５
2010035427.tif 000002
【特許請求の範囲】
【請求項１】
釣竿に上部が装着可能であり、前方に釣り糸を繰り出し可能なスピニングリールのリール本体であって、
内部に各種の機構が装着されるリールボディと、
前記釣竿に装着可能であり、前記リールボディから斜め上前方に一体的に延びるＴ字状の竿取付脚部と、
前記竿取付脚部の後部から前記リールボディの後部を覆うように装着され、前記リールボディとの接合面を含む側部の一部が切り欠かれて形成された係合凹部を有するカバー部材と、
前記カバー部材の側部に装着され、前記カバー部材の側部に対向する側に突出して形成され前記係合凹部に係合するとともに、前記カバー部材を前記リールボディに装着したとき前記リールボディの接合面と前記係合凹部とによって挟持される係合凸部を有する板状部材と、
を備えたスピニングリールのリール本体。
【請求項２】
前記カバー部材は、側部の前記係合凹部の周囲の一部が前記板状部材装着面より外方に突出して形成された突出部と、前記突出部の内壁部に形成され前記板状部材を前記リールボディ側からスライドさせて装着係止可能な溝部とを有している、請求項１に記載のスピニングリールのリール本体。
【請求項３】
前記カバー部材は、上端部が前記竿取付脚部の後部に形成された係止凹部に係止され、下端部が前記リールボディの下部にねじ止め固定されている、請求項１又は２に記載のスピニングリールのリール本体。
【請求項４】
前記板状部材の裏面と前記カバー部材との間には、接着剤が塗布されている、請求項１から３のいずれか１項に記載のスピニングリールのリール本体。
【請求項５】
前記板状部材の表面には、印刷によって形成された印刷部を有している、請求項１から４のいずれか１項に記載のスピニングリールのリール本体。
【請求項６】
前記リールボディは、内部に各種の機構が装着される本体部材と、前記本体部材に装着される蓋部材とを有している、請求項１から５のいずれか１項に記載のスピニングリールのリール本体。
【請求項７】
前記係合凸部は、前記カバー部材を前記リールボディに装着したとき、前記本体部材の接合面と前記係合凹部とによって挟持される、請求項６に記載のスピニングリールのリール本体。
【請求項８】
前記係合凸部は、前記カバー部材を前記リールボディに装着したとき、前記蓋部材の接合面と前記係合凹部とによって挟持される、請求項６に記載のスピニングリールのリール本体。
【請求項９】
前記竿取付脚部は、前記本体部材と一体成形されている、請求項６から８のいずれか１項に記載のスピニングリールのリール本体。
【請求項１０】
前記竿取付脚部は、前記蓋部材と一体成形されている、請求項６から８のいずれか１項に記載のスピニングリールのリール本体。
【発明の詳細な説明】
【技術分野】
【０００１】
本発明は、リール本体、特に、釣竿に装着され、前方に釣り糸を繰り出し可能なスピニングリールのリール本体に関する。
【背景技術】
【０００２】
スピニングリールは、一般に、釣竿に装着されるリール本体と、リール本体に回転自在に取り付けられたハンドルと、リール本体に回転自在に装着されたロータと、ロータの前方でリール本体に前後移動自在に装着され、ロータによって案内された釣り糸が外周に巻き付けられるスプールとを有している。
【０００３】
この種のリール本体は、釣竿に装着されるＴ字状の竿取付脚部と、竿取付脚部と一体成形され、内部に各種の機構が収納されるリールボディとを備えている。リールボディは、側部が開口する収納空間を内部に有する本体部材と、本体部材の開口を覆うように着脱自在に本体部材に装着された蓋部材とを有している。
【０００４】
このようなリール本体では、竿取付脚部の後部からリールボディの後部を覆うように板状のカバー部材が装着されたものが知られている（たとえば、特許文献１参照）。このカバー部材は、文字や図形を表示するための銘版として機能するものがあり、たとえばリールの機種名や型番やメーカー名等が、シール貼付、印刷、熱転写等により、カバー部材の表面に形成されている（たとえば、特許文献２参照）。
【特許文献１】実開平５−３９２６８号公報
【特許文献２】特開平９−３２７２５３号公報
【発明の開示】
【発明が解決しようとする課題】
【０００５】
前記従来のリール本体では、リールの機種名や型番毎に専用の文字や図形が形成されているので、たとえばリールボディが共通のリールであってハンドル等の仕様が異なる場合でも、リールの機種毎に専用のカバー部材全体を製作する必要があり、このため、製造コストが増加するおそれがある。また、特に、文字や図形がシール貼付によって形成されている場合には、長年の使用によってシール部分に海水等が浸水し、シールが剥離するおそれがある。
【０００６】
本発明の課題は、スピニングリールのリール本体において、カバー部材を共用化できるようにするとともに、銘版の固定を確実に行えるようにする。
【課題を解決するための手段】
【０００７】
発明１に係るスピニングリールのリール本体は、釣竿に上部が装着可能であり、前方に釣り糸を繰り出し可能なスピニングリールのリール本体であって、リールボディと、竿取付脚部と、カバー部材と、板状部材とを備えている。リールボディは、内部に各種の機構が装着される。竿取付脚部は、釣竿に装着可能でありリールボディから斜め上前方に一体的に延びるＴ字状の部材である。カバー部材は、竿取付脚部の後部からリールボディの後部を覆うように装着される。カバー部材は、リールボディとの接合面を含む側部の一部が切り欠かれて形成された係合凹部を有する。板状部材は、カバー部材の側部に装着されカバー部材の側部に対向する側に突出して形成される。板状部材は、係合凹部に係合するとともにカバー部材をリールボディに装着したときリールボディの接合面と係合凹部とによって挟持される係合凸部を有する。
【０００８】
このリール本体では、カバー部材の係合凹部に板状部材の係合凸部を係合させ、カバー部材をリールボディに装着したときリールボディの接合面と係合凹部とによって係合凸部を挟持するようになっている。ここでは、カバー部材と別体で板状部材が設けられているので、特に、板状部材が表面にリールの機種名や型番からなる文字や図形が形成された銘版である場合には、リールの機種が異なる場合でも、銘版である板状部材だけ交換すればよく、従来のようにカバー部材全体を交換する必要がなくなる。したがって、カバー部材を共用化することができるので、複数機種を製造するときのコストの増加を抑えることができる。また、板状部材は、カバー部材をリールボディに装着したときリールボディの接合面と係合凹部とによって係合凸部を挟持するようになっているので、簡単な構成で板状部材のカバー部材に対する固定を確実に行うことができる。
【０００９】
発明２に係るリール本体は、発明１のリール本体において、カバー部材は、側部の係合凹部の周囲の一部が板状部材装着面より外方に突出して形成された突出部と、突出部の内壁部に形成され板状部材をリールボディ側からスライドさせて装着係止可能な溝部とを有している。この場合、板状部材をリールボディ側から突出部の溝部にスライドさせることによって、板状部材の着脱が容易になる。
【００１０】
発明３に係るリール本体は、発明１又は２のリール本体において、カバー部材は、上端部が竿取付脚部の後部に形成された係止凹部に係止され、下端部がリールボディの下部にねじ止め固定されている。この場合、たとえば上端部に突出して形成された係止突部を係止凹部に係止した状態で下端部をねじ止めすることで、上端部側をねじ止めする必要がなくなる。
【００１１】
発明４に係るリール本体は、発明１から３のいずれかのリール本体において、板状部材の裏面とカバー部材との間には、接着剤が塗布されている。この場合、板状部材のカバー部材に対する固定が強固になる。
【００１２】
発明５に係るリール本体は、発明１から４のいずれかのリール本体において、板状部材の表面には、印刷によって形成された印刷部を有している。この場合、たとえばリールの機種名や型番からなる文字や図形を印刷によって簡単に形成できる。
【００１３】
発明６に係るリール本体は、発明１から５のいずれかのリール本体において、リールボディは、内部に各種の機構が装着される本体部材と、本体部材に装着される蓋部材とを有している。この場合、リールボディを本体部材と蓋部材との２ピースにすることで、内部機構のメンテナンス性を向上できる。
【００１４】
発明７に係るリール本体は、発明６のリール本体において、係合凸部は、カバー部材をリールボディに装着したとき、本体部材の接合面と係合凹部とによって挟持される。この場合、板状部材は、カバー部材をリールボディに装着したとき本体部材の接合面と係合凹部とによって係合凸部を挟持するようになっているので、簡単な構成で板状部材のカバー部材及びリールボディに対する固定を確実に行うことができる。
【００１５】
発明８に係るリール本体は、発明６のリール本体において、係合凸部は、カバー部材をリールボディに装着したとき、蓋部材の接合面と係合凹部とによって挟持される。この場合、板状部材は、カバー部材をリールボディに装着したとき蓋部材の接合面と係合凹部とによって係合凸部を挟持するようになっているので、簡単な構成で板状部材のカバー部材及びリールボディに対する固定を確実に行うことができる。
【００１６】
発明９に係るリール本体は、発明６から８のいずれかのリール本体において、竿取付脚部は、本体部材と一体成形されている。この場合、竿取付脚部と本体部材とが一体成形されているので、竿取付脚部と蓋部材とが一体成形されている場合に比して、蓋部材の構成が簡素になる。
【００１７】
発明１０に係るリール本体は、発明６から８のいずれかのリール本体において、竿取付脚部は、蓋部材と一体成形されている。この場合、竿取付脚部と蓋部材とが一体成形されているので、厚肉部分と薄肉部分との混在を少なくして本体部材を薄肉にして精度を高く維持し、取付脚部を厚肉にして強度を維持できるようになる。
【発明の効果】
【００１８】
本発明によれば、スピニングリールのリール本体において、カバー部材の係合凹部に板状部材の係合凸部を係合させ、カバー部材をリールボディに装着したときリールボディの接合面と係合凹部とによって係合凸部を挟持するようになっているので、カバー部材を共用化しながら、銘版の固定を確実に行うことができる。
【発明を実施するための最良の形態】
【００１９】
本発明の一実施形態を採用したスピニングリールは、図１から図３に示すように、ハンドル組立体１と、ハンドル組立体１を回転自在に支持するリール本体２と、ロータ３と、スプール４とを備えている。ロータ３は、スプール４に釣り糸を巻き付けるものであり、リール本体２の前部に回転自在に支持されている。スプール４は、外周面に釣り糸を巻き取るものであり、ロータ３の前部に前後移動自在に配置されている。なお、ハンドル組立体１は、リール本体２の右側（図１、図２参照）及び左側（図３参照）のいずれにも装着可能であり、ハンドル組立体１が装着されていない側（図３ではリール本体２の右側）には、キャップ付きボルト部材１９が装着されている。
【００２０】
ハンドル組立体１は、図３に示すように、マスターギア軸１０（図２参照）の内周部に相対回転不能に装着され先端部がマスターギア軸１０の先端部より軸方向外方に突出して配置されるハンドル軸部７と、ハンドル軸部７の先端部から径方向に延びハンドル軸部７に対して揺動可能に装着されたハンドルアーム８と、ハンドルアーム８の先端に装着されたハンドル把手９と、マスターギア軸１０の先端部に回転不能に係合しかつハンドルアーム８の基端部に回転不能に係合する筒状部材とを備えている。
【００２１】
ハンドル軸部７は、外形が矩形等の非円形に形成されており、マスターギア軸１０の貫通孔１０ａに回転不能かつ軸方向移動可能に装着されている。ハンドル軸部７の端部には、内周側に雌ねじ部７ａが形成されており、貫通孔１０ａに装着したハンドル軸部７の雌ねじ部７ａにキャップ付きボルト部材１９の雄ねじ部１９ａを螺合させることによって、ハンドル軸部７をマスターギア軸１０に対して抜け止めしている。また、ハンドル軸部７の先端部７ｂには、ハンドルアーム８がボルト部材２０によって固定されている。
【００２２】
ハンドルアーム８は、図３に示すように、たとえばアルミニウム合金製の棒状部材であって、リール本体２と対向する側にやや折れ曲がって形成されている。ハンドルアーム８の一端（図３下側端部）は、ハンドル軸部７の先端部（図３左側端部）にボルト部材２０によってリール本体２と接離する方向に揺動可能に連結されている。ハンドルアーム８の他端（図３上側端部）には、ハンドル把手９が回転自在に装着されている。
【００２３】
ハンドル把手９は、図３に示すように、ハンドルアーム８にハンドル軸部７と略平行な軸回りに回転自在に装着される軸部９ｂと、軸部９ｂの先端に固定され釣人が把持するための把手部９ａとを有している。把手部９ａは、たとえば合成樹脂やコルク等によって形成されており、軸部９ｂは、たとえば金属製の部材である。
【００２４】
リール本体２は、図１から図３に示すように、リールボディ２ｄと、竿取付脚部２ｃと、カバー部材６０と、板状部材７０とを備えている。リールボディ２ｄは、内部に各種の機構が装着され側部に開口を有する本体部材２ａと、開口を塞ぐように本体部材２ａに着脱自在に装着された蓋部材２ｂとを有している。竿取付脚部２ｃは、釣竿に装着可能であり蓋部材２ｂから斜め上前方に蓋部材２ｂと一体成形されて延びるＴ字状の部材である。
【００２５】
カバー部材６０は、図１から図４に示すように、竿取付脚部２ｃの後部からリールボディ２ｄの後部を覆うように装着されている。カバー部材６０は、板状の部材を竿取付脚部２ｃの後部からリールボディ２ｄの後部及び側部の一部が他の部分より凹んで形成された装着凹部２ｅの開口に収納可能に湾曲した部材である。ここでは、カバー部材６０をリールボディ２ｄに装着したときに、カバー部材６０の外表面とリールボディ２ｄ外表面とが略面一となるように滑らかに連続した形状になっている。カバー部材６０は、図２に示すように、上端部を竿取付脚部２ｃの後部に形成された係止凹部２ｆに係止した状態で、下端部が本体部材２ａの下部に下方から挿入されたねじ部材２ｇによってねじ止め固定されている。
【００２６】
カバー部材６０は、図５に拡大して示すように、リールボディ２ｄの蓋部材２ｂとの接合面Ｓを含む側部の一部が切り欠かれて形成された係合凹部６０ａを有している。係合凹部６０ａは、接合面Ｓを含む側部の一部が切り欠かれていない凸部６０ｅを挟んで両側の２箇所が矩形に切り欠かれて形成された凹部である。この係合凹部６０ａには、板状部材７０を装着したときに、後述する板状部材７０の係合凸部７０ａが係合する凹部である。カバー部材６０は、側部の係合凹部６０ａの周囲の一部が板状部材７０装着面より外方に突出して形成された突出部６０ｂと、突出部６０ｂの内壁部６０ｃに形成され板状部材７０をリールボディ２ｄの蓋部材２ｂ側からスライドさせて装着係止可能な溝部６０ｄとを有している。突出部６０ｂは、カバー部材６０のリールボディ２ｄの蓋部材２ｂとの接合面Ｓを含む端面から内側に向かって山形状に隆起した突出部分であって、舌状の板状部材７０の外形に対して拡大相似形状となるように形成されている。突出部６０ｂは、カバー部材６０の他の部分の外表面から徐々に隆起するように滑らかに連続するように一体成形されたものである。溝部６０ｄは、板状部材７０の長手方向に沿って上下２箇所に平行になるように内壁部６０ｃの一部がスリット状に切り欠かれた溝である。溝部６０ｄの深さは、板状部材７０の厚みと略同一である。このため、板状部材７０を溝部６０ｄに挿入したときに、板状部材７０が接触摩擦によって容易に離反しないようになっている。
【００２７】
板状部材は７０、図５に示すように、カバー部材の側部に装着される板状の舌状部材であって、カバー部材６０の側部に対向する側に突出して形成されている。板状部材７０は、カバー部材６０をリールボディ２ｄに装着したとき、係合凹部６０ａに係合するとともに、リールボディ２ｄの接合面と係合凹部６０ａとによって挟持される係合凸部７０ａを有している。係合凸部７０ａは、装着方向と逆側の端部の一部が装着方向と交差する方向に突出して形成された凸部である。係合凸部７０ａは、接合面Ｓに対向する側部の一部が切り欠かれた凹部７０ｃを挟んで両側の２箇所が矩形に突出して形成された凹部である。２箇所の係合凸部７０ａは、２箇所の係合凹部６０ａにそれぞれ係合するように、係合凹部６０ａの外形と略同一形状になるように形成されている。また、板状部材７０は、カバー部材６０をリールボディ２ｄに装着したとき蓋部材２ｂの接合面と係合凹部６０ａとによって係合凸部７０ａを挟持するようになっている。なお、板状部材７０の裏面とカバー部材６０との間には、接着剤が塗布されており、板状部材７０がカバー部材６０に強固に固定されている。また、板状部材７０の表面には、リールの機種名や型番からなる文字や図形を印刷によって形成された印刷部７０ｂを有しており、銘版としての機能を有している。印刷部７０ｂは、板状部材７０の舌状部分の外表面に、たとえばリールの型番からなる文字列を印刷することによって形成している。
【００２８】
このような板状部材７０をカバー部材６０に取り付けるには、板状部材７０の裏面及びカバー部材６０の突出部６０ｂ内部の表面に接着剤を塗布した状態で、板状部材７０を溝部６０ｄにスライドさせて装着する。このとき、２箇所の係合凹部６０ａに２箇所の係合凸部７０ａがそれぞれ係合している。そして、板状部材７０が取り付けられたカバー部材６０をリールボディ２ｄの後部に装着すると、リールボディ２ｄの接合面と係合凹部６０ａとによって係合凸部７０ａを挟持するようになっている。このため、板状部材７０がカバー部材６０から離反しにくくなる。
【００２９】
本体部材２ａは内部に空間を有している。この空間内には、ハンドル組立体１の回転に連動してロータ３を回転させるロータ駆動機構５と、スプール４を前後に移動させて釣り糸を均一に巻き取るためのオシレーティング機構６とが設けられている。
【００３０】
ロータ駆動機構５は、図２に示すように、ハンドル組立体１のハンドル軸部７が回転不能に装着されたマスターギア軸１０とともに回転するマスターギア１１と、このマスターギア１１に噛み合うピニオンギア１２とを有している。マスターギア軸１０は、マスターギア１１と一体成形された筒状部材であり、内周部の形状が矩形等の非円形に形成された貫通孔を有している。マスターギア軸１０は、リール本体２の両側方に突出したボス部の内周部に装着された軸受によって、リール本体２に回転自在に支持されている。マスターギア１１は、ピニオンギア１２に噛み合うフェースギアである。ピニオンギア１２は、筒状に形成され、ロータ３の中心部を貫通している。そして、ピニオンギア１２の前部１２ａが、ナット１３によってロータ３に固定されている。また、ピニオンギア１２の中間部と後端部とが、それぞれ軸受１４ａ、１４ｂを介してリール本体２に回転自在に支持されている。
【００３１】
オシレーティング機構６は、図２に示すように、スプール４の中心部を貫通してドラグ機構に連結されたスプール軸１５を前後方向に移動させることで、スプール４をドラグ機構とともに前後移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２は、スプール軸１５の後端に回転不能に固定されている。中間ギア２３は、図示しない減速機構を介してピニオンギア１２に噛み合っている。この減速機構によって、オシレーティング機構６の前後移動速度が遅くなり、釣り糸をスプール４に緻密に巻き付けることができる。
【００３２】
ロータ３は、図２に示すように、円筒部３０と、円筒部３０の側方に互いに対向して設けられた第１ロータアーム３１及び第２ロータアーム３２とを有している。円筒部３０と第１ロータアーム３１及び第２ロータアーム３２とは一体に成形されている。
円筒部３０の前部には前壁３３が形成され、この前壁３３の中央部にはボス部３３ａが設けられている。ボス部３３ａの中心部には貫通孔が形成され、この貫通孔をピニオンギア１２の前部１２ａ及びスプール軸１５が貫通している。前壁３３の前部にはナット１３が配置され、このナット１３によってピニオンギア１２の前部１２ａがロータ３に固定されている。
【００３３】
第１ロータアーム３１は、円筒部３０から外方に向けて凸状に湾曲して前方へと延びている。第１ロータアーム３１の先端外周側には、第１ベール支持部材４０が揺動自在に装着されている。第１ベール支持部材４０の先端には、釣り糸をスプール４に案内するためのラインローラ４１が装着されている。第２ロータアーム３２は、円筒部３０から外方に凸に湾曲して前方に延びている。第２ロータアーム３２の先端外周側には、第２ベール支持部材４２が揺動自在に装着されている。ラインローラ４１と第２ベール支持部材４２との間には、線材を略Ｕ状に湾曲させたベール４３が固定されている。これらの第１ベール支持部材４０、第２ベール支持部材４２、ラインローラ４１及びベール４３によって、ベールアーム４４は構成される。ベールアーム４４は、図２に示す糸案内姿勢とそれから反転した糸開放姿勢との間で揺動自在である。
【００３４】
ロータ３の円筒部３０の内部にはロータ３の逆転を禁止・解除するための逆転防止機構５０が配置されている。逆転防止機構５０は、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００３５】
スプール４は、図２に示すように、ロータ３の第１ロータアーム３１と第２ロータアーム３２との間に配置されており、スプール軸１５の先端にドラグ機構を介して装着されている。
【００３６】
次に、リールの操作及び動作について説明する。
【００３７】
釣りを行う際、キャスティングしてリール本体２から釣り糸を繰り出すために、ベールアーム４４を反転させると、第１ベール支持部材４０及び第２ベール支持部材４２が揺動し、ベールアーム４４を糸開放姿勢にすることができる。この状態で、釣竿を握る手の人差し指で釣り糸を引っかけながら釣竿をキャスティングする。すると、釣り糸は仕掛けの重さによって勢いよく前方に放出される。そして、ハンドル組立体１を糸巻き取方向に回転させると、ロータ駆動機構５によりロータ３が糸巻き取方向に回転し、ベールアーム４４が図示しないベール反転機構により糸巻き取位置に復帰し、釣り糸がスプール４に巻き付けられる。
【００３８】
このようなスピニングリールのリール本体２では、カバー部材６０の係合凹部６０ａに板状部材７０の係合凸部７０ａを係合させ、カバー部材６０をリールボディ２ｄに装着したときリールボディ２ｄの接合面と係合凹部６０ａとによって係合凸部７０ａを挟持するようになっている。ここでは、カバー部材６０と別体で板状部材７０が設けられているので、リールの機種が異なる場合でも、銘版である板状部材７０だけ交換すればよく、従来のようにカバー部材６０全体を交換する必要がなくなる。したがって、リールの機種が異なるカバー部材６０を共用化することができるので、複数機種を製造するときのコストの増加を抑えることができる。また、板状部材７０は、カバー部材６０をリールボディ２ｄに装着したときリールボディ２ｄの接合面と係合凹部６０ａとによって係合凸部７０ａを挟持するようになっているので、簡単な構成で板状部材７０のカバー部材６０に対する固定を確実に行うことができる。
【００３９】
〔他の実施形態〕
（ａ）  前記実施形態では、フロントドラグ機構を有するスピニングリールを例にあげて説明したが、たとえばフロントドラグ機構とレバードラグ機構との両方を有するスピニングリール等の他のスピニングリールにも本発明を適用できる。
【００４０】
（ｂ）  前記実施形態では、竿取付脚部２ｃは蓋部材２ｂと一体成形されていたが、図７に示すように、竿取付脚部２ｃと本体部材２ａとを一体成形してもよい。
【００４１】
（ｃ）  前記実施形態では、板状部材７０は、カバー部材６０をリールボディ２ｄに装着したとき蓋部材２ｂの接合面と係合凹部６０ａとによって係合凸部を挟持するようになっていたが、本体部材２ａ、あるいは本体部材２ａ及び蓋部材２ｂの両部材の接合面と係合凹部６０ａとによって係合凸部を挟持するようにしてもよい。
【００４２】
（ｄ）  前記実施形態では、カバー部材６０に凸部６０ｅを形成し、板状部材７０に凹部７０ｃを形成することによって、２箇所の係合凹部６０ａに２箇所の係合凸部７０ａをそれぞれ係合させていたが、図６に示すように、凸部６０ｅ及び凹部７０ｃを形成しないで、１箇所の係合凹部６０ａに１箇所の係合凸部７０ａを係合させてもよい。
【００４３】
（ｅ）  前記実施形態では、板状部材７０は、印刷による印刷部７０ｂを設けていたが、印刷に限定されるものではなく、シール貼付、熱転写等の印刷以外の方法によってリールの機種名や型番やメーカー名を表示するようにしてもよい。
【図面の簡単な説明】
【００４４】
【図１】本発明の一実施形態を採用したスピニングリールの側面図。
【図２】前記スピニングリールの側面断面図。
【図３】前記スピニングリールの背面図。
【図４】リール本体の分解斜視図。
【図５】板状部材周辺の拡大斜視図。
【図６】他の実施形態の図５に相当する図。
【図７】他の実施形態の図３に相当する図。
【符号の説明】
【００４５】
１  ハンドル組立体
２  リール本体
２ａ  本体部材
２ｂ  蓋部材
２ｃ  竿取付脚部
２ｄ  リールボディ
２ｅ  装着凹部
２ｆ  係止凹部
２ｇ  ねじ部材
３  ロータ
４  スプール
５  ロータ駆動機構
６  オシレーティング機構
６０  カバー部材
６０ａ  係合凹部
６０ｂ  突出部
６０ｃ  内壁部
６０ｄ  溝部
６０ｅ  凸部
７０  板状部材
７０ａ  係合凸部
７０ｂ  印刷部
７０ｃ  凹部
Ｓ  接合面
【図１】
2010035427.tif 000003
【図２】
2010035427.tif 000004
【図３】
2010035427.tif 000005
【図４】
2010035427.tif 000006
【図５】
2010035427.tif 000007
【図６】
2010035427.tif 000008
【図７】
2010035427.tif 000009